Podtech/llm-jp-corpus-v4-ja_patent huggingface dataset:
(57)【要約】【課題】炭火で焼き上げた鮎の風味を損なうことなく、いつでも、どこでも美味しく食することのできる冷凍保存用炭火塩焼鮎を提供する。【解決手段】天然塩を適量振りかけた鮎を、炭火時間をかけてじっくり焼き上げ、これを急速冷凍した後、真空包装して冷凍保存する。これを食する際は、冷凍されたままの塩焼き鮎１を真空包装袋２から取り出し、電子レンジで約３分程度温めるか、若しくは解凍後、真空包装袋２から取り出した塩焼き鮎１を魚焼き用のグリル等により約１〜２程度弱火で温めることで、炭火焼きの風味そのままに、焼きたての状態を再現することができる。【選択図】図１
0003118435.tif 000002
【実用新案登録請求の範囲】
【請求項１】
天然塩を適量振りかけ、炭火で時間をかけて焼き上げた鮎を急速冷凍し、そのまま真空包装したことを特徴とする冷凍保存用炭火塩焼き鮎。
【考案の詳細な説明】
【技術分野】
【０００１】
本考案は、炭火で焼き上げた塩焼き鮎の風味を損なうことなく、何時でも美味しく食することのできる冷凍保存用炭火塩焼き鮎に関する。
【背景技術】
【０００２】
従来、塩焼き鮎は、焼いた直後に食することで鮎特有の風味を味わうことができるものである。しかし、時間をおいた塩焼き鮎は、その風味が損なわれ、味も落ちてしまう。従って、塩焼き鮎を常に食するためには、真空包装した活鮎を冷凍保存し、食する際に、活魚を解凍し焼き上げる必要がある。
【０００３】
また、焼き上げた鮎を、ある程度冷まして真空包装したものはあるが、これでは長期間保存はできず、たとえある程度保存できたとしても、焼き上げた直後の塩焼き鮎の風味をそのまま再現することはできない。
【特許文献１】特開２０００−２２８９４５号公報
【考案の開示】
【考案が解決しようとする課題】
【０００４】
そこで、本考案は、炭火で焼き上げた塩焼き鮎を、炭焼きの風味を残したまま長期間保存することのできる冷凍保存用炭火塩焼き鮎を提供しようとするものである。
【課題を解決するための手段】
【０００５】
上記課題を解決するために、本考案は、そのままの鮎に天然塩を適量振りかけ、炭火で時間をかけて焼いた後急速冷凍し、そのまま真空包装して冷凍保存する。
【考案の効果】
【０００６】
本考案の冷凍保存用塩焼き鮎によれば、急速冷凍後に真空包装し、そのまま冷凍保存するので、細菌の繁殖を防止することができ、かつ炭火焼きの風味を残したまま長期間の保存が可能である。従って、冷凍のまま電子レンジで温めるか、解凍させた後にグリルで温めるだけで、炭火で焼き上げた鮎の風味を損なうことなく、いつでも、どこでも美味しく食することが可能である。
【考案を実施するための最良の形態】
【０００７】
鮎は、天然塩を適量ふりかけた後、全体を炭火で時間をかけてじっくりと焼き上げて塩焼き鮎1とする。この塩焼き鮎1を急速冷凍した後、真空包装袋２によって真空包装する。
【実施例１】
【０００８】
図１は、本考案の冷凍保存用塩焼き鮎の実施例を示す正面図であり、図２は、本考案の製造工程を示したものである。
【０００９】
図２に示すように、塩焼き鮎１は、天然塩を適量ふりかけられた後、全体を炭火で時間をかけてじっくりと焼き上げられて得られる。この塩焼き鮎1は、炭火焼き直後に急速冷凍されて、真空包装袋２によって真空包装される。この真空包装された塩焼き鮎は、冷凍されたまま保存される。
【００１０】
炭火焼き直後に急速冷凍して真空包装することで、細菌の繁殖を防止することができるとともに、炭火焼き直後の風味を鮎内に閉じ込め、長期間保存した後もその風味を損なうことなく、美味しく食することが可能となる。
【００１１】
この冷凍保存用炭火塩焼き鮎を食する際は、冷凍されたままの塩焼き鮎１を真空包装袋２から取り出し、電子レンジで約３分程度温めるか、若しくは解凍後、真空包装袋２から取り出した塩焼き鮎１を魚焼き用のグリル等により約１〜２程度弱火で温めることで、炭火焼きの風味そのままに、焼きたての状態を再現することができる。
【図面の簡単な説明】
【００１２】
【図１】本考案の冷凍保存用塩焼き鮎の実施例を示す図である。
【図２】本考案の冷凍保存用塩焼き鮎の製造過程を示したものである。
【符号の説明】
【００１３】
１  冷凍塩焼き鮎
２  真空包装袋
【図１】
0003118435.tif 000003
【図２】
0003118435.tif 000004
(57)【要約】【課題】モルタル移送用ゴム管の振動による破損を予防し、破損時等におけるモルタルの噴出を緩和するために使用する当該ゴム管の保安用被覆管。【解決手段】モルタル移送用ゴム管の保安用被覆管として、透明な軟質合成樹脂管の内面の円周に所定間隔で当該軟質合成樹脂管の全長に及ぶ突条を設けてある。【効果】ゴム管に対する脈動を抑制し、振動を緩和するので、ゴム管の磨耗が防止され、騒音を軽減する。とくに、被覆管の突状によりゴム管破裂によるモルタルの飛散が著しく緩和される。【選択図】図１
0003118737.tif 000002
【実用新案登録請求の範囲】
【請求項１】
透明な軟質合成樹脂管の内面の円周に所定間隔で当該軟質合成樹脂管の全長に及ぶ突条を設けてあるモルタル移送用ゴム管の保安用被覆管。
【考案の詳細な説明】
【技術分野】
【０００１】
本考案はモルタル移送用ゴム管の振動による破損を予防し、破損時等におけるモルタルの噴出を緩和するために使用される当該ゴム管の保安用被覆管に関するものである。
【背景技術】
【０００２】
従来、建設工事現場等において流動状モルタルを高圧（３メガパスカル程度）で移送する場合、移送管として特許文献１により短繊維を一定方向に配向させて補強効果を持たせたゴム管が採用されたが、激しい振動により亀裂が生ずるので、短繊維で補強したゴム管の外周を凹凸面となし、当該ゴム管より伸縮率の高いエラストマーからなるカバー層を前記凹凸面に密着被覆するようにしたものが特許文献２により提案されたが、振動による亀裂が避けられず、その後、金属ワイヤによる補強層のある硬質ゴム管が使用されたが、脈動により、とくに、接地面で補強層が損耗し、ゴム管に亀裂が生じ易く、モルタルがはげしく噴出して種々の弊害を生ずることがしばしばみられた。このため、モルタル移送用の硬質ゴム管に軟質合成樹脂管を被覆することも試みられたが、多少改善するものの、ゴム管と被覆管の破損は避けられなかった。
【特許文献１】特公昭５３−１４２６９号
【特許文献２】公開実用新案昭６２−２７２７９号
【考案の開示】
【考案が解決しようとする課題】
【０００３】
本考案はモルタル移送用ゴム管の振動による破損を予防し、破損時等におけるモルタルの噴出を緩和するために当該ゴム管の保安用被覆管を提供せんとするものである。
【課題を解決するための手段】
【０００４】
ここにおいて本考案者は透明な軟質合成樹脂管の内面の円周に所定間隔で当該軟質合成樹脂管の全長に及ぶ突条を設けてあるモルタル移送用ゴム管の保安用被覆管を見出すにいたった。なお、当該ゴム管と保安用被覆管の内側にある突条の位置には間隙を設けてゴム管を被覆管内に挿入しやすくしてある。
【０００５】
高圧モルタル移送用ゴム管は通常、補強層として繊維や金属線入りの硬質ゴムによる肉厚管が使用されており、内径は２５ないし５０ｍｍのものが多い。
【考案の効果】
【０００６】
本考案によるモルタル移送用ゴム管に突条付きの軟質合成樹脂管を保安用の被覆管として使用することにより、モルタル移送用ゴム管に対する脈動を緩和し、振動を防ぐので、モルタル移送用ゴム管の磨耗が防止され、モルタルの噴出があっても軟質合成樹脂管内の突条方向にモルタルの噴出流が誘導され、かつ、ゴム管の振動による騒音をも軽減する効果がある。
【考案を実施するための最良の形態】
【０００７】
本考案によるゴム管の保安用被覆管として透明な軟質のポリ塩化ビニールなどのものが好適であり、ゴム管の外部状態が視認できて都合がよい。なお、被覆管内の突条は被覆管と一体に成形することができる。また、軟質合成樹脂管はモルタルの噴出にあたり多少膨張し漏出を緩和するので都合がよい。
【実施例１】
【０００８】
モルタル移送用ゴム管として内径３８ｍｍ、外径５２ｍｍの硬質ゴム管を使用する場合、被覆管として外径６９ｍｍ、厚さ３ｍｍの軟質ポリ塩化ビニールを使用し、内面に設ける全長に及ぶ突条は第１図に図示するごとく断面３×３ｍｍのものとし、モルタル移送管としての硬質ゴム管を被覆管内に挿入しやすくしてある。被覆管を使用した結果、モルタル移送管の使用期間が被覆管なしの場合に比し、５〜６倍長く連続使用することができた。
【産業上の利用可能性】
【０００９】
建設工事現場等において高圧（３メガパスカル程度）のモルタルを移送する場合、被覆管なしでは、モルタルの移送管である硬質ゴム管に脈動が生じて、騒音を発し、次第に補強層が損耗し、接触物との磨耗でゴム管に亀裂を生じ、モルタルが噴出するばかりでなく、接触物を破損して種々の障害を生ずることがしばしばみられるが、モルタル移送用のゴム管に本考案による軟質合成樹脂による保安用被覆管を使用することにより著しく改善することができる。このようなことは、土木工事で矢板の打ち込みの際使用される１４メガパスカル程度の高圧水噴射用の高圧管においても同様の問題が生じるが、本考案による軟質合成樹脂による保安用被覆管を使用することにより改善することができる。
【図面の簡単な説明】
【００１０】
【図１】モルタル移送用ゴム管に保安用被覆管を被覆した状態の断面図
【符号の説明】
【００１１】
１  モルタル移送用ゴム管（保護層の図示省略）
２  モルタル移送用ゴム管の被覆管
３  突条
【図１】
0003118737.tif 000003
(57)【要約】【課題】印刷物などの汚損や接触による損傷を防止するため、印刷物などの被ラミネート体を二枚の透明な合成樹脂のフィルム間に介在してラミネータで加熱したラミネートフィルムを柱や壁或いは陳列棚に簡単に取付けるようにする。【解決手段】透明な合成樹脂製の二枚の方形状フィルム１、２と、この両フィルムの一辺の縁を固着する熱接着などの固着部３とからなるラミネートフィルムＡにおいて、上記裏側フィルムの表面所要位置に前記フィルムの辺縁に平行する帯状の接着膜５を設けると共に、この接着膜を離型紙４により被った構成を採用する。【選択図】図１
0003118739.tif 000002
【実用新案登録請求の範囲】
【請求項１】
透明な合成樹脂製の二枚の方形状フィルムと、この両フィルムの一辺の縁を固着する熱接着などの固着部とからなるラミネートフィルムにおいて、上記裏側フィルムの表面所要位置に前記フィルムの辺縁に平行する帯状の接着膜を設けると共に、この接着膜を離型紙により被ったことを特徴とするラミネートフィルム。
【考案の詳細な説明】
【技術分野】
【０００１】
この考案は、二枚のフィルム間に被ラミネート体を挟んでラミネートする際に用いるラミネートフィルムに関する。
【背景技術】
【０００２】
印刷物などの汚損や接触による損傷を防止するため、印刷物などの被ラミネート体を二枚の透明な合成樹脂製のフィルム間に介在する。
【０００３】
上記のフィルムの縦横寸法は、被ラミネート体の縦横寸法より大きくしてある。
【０００４】
次に、上記目的を達成するためにラミネーターで加熱することにより二枚のフィルムの被ラミネート体の辺縁から食み出る辺縁の重なる面が溶着されて、二枚のフィルム間に被ラミネート体を封じ込める（特許文献１）。
【特許文献１】実用新案登録第３０４０４６６号公報
【考案の開示】
【考案が解決しようとする課題】
【０００５】
ところで、特許文献１のラミネートフィルムによると、被ラミネート体の封じ込んだラミネートフィルムを例えば、店内の柱や壁面或いは陳列棚の前面などに取り付ける場合、押しピンや、押しピンの針を押し込むことができない取付け側が硬い金属などであると、ラミネートフィルムの裏側フィルムの表面に貼り付けた両面テープを介し取付ける。
【０００６】
しかしながら、一々粘着テープを必要長さに切断し、切断した粘着テープを貼り付けるので、著しく手数がかかる問題があった。
【０００７】
特に大型な店舗にあっては、商品の種類が多いため、品物毎の価格やその他の表示紙の被ラミネート体の封じ込みラミネートフィルムの取り付けに著しく手数がかかる。
【０００８】
なお、現在ラミネートフィルムの裏側フィルムの表面全面に粘着膜を設けて、この粘着膜を離型紙（剥離シート）で被ったものが市販され、使用に際し離型紙を剥して露出した粘着膜を介し取り付ける。
【０００９】
しかしながら、ラミネートフィルムの表面全面に粘着膜や粘着膜全面を被う大判な離型紙を使用するため、大幅にコストがアップし、又全面取り付けのため、剥がすのに手数がかかると共に、取り付け位置が出っ張った突出条の場合、粘着膜の一部のみを使用するので、大部分の粘着膜が使用されず、不経済になるなどの問題があった。
【００１０】
そこで、この考案は、上述の問題を解決するラミネートフィルムを提供することにある。
【課題を解決するための手段】
【００１１】
上記の課題を解決するために、この考案は、透明な合成樹脂製の二枚の方形状フィルムと、この両フィルムの一辺の縁を固着する熱接着などの固着部とからなるラミネートフィルムにおいて、上記裏側フィルムの表面所要位置に前記フィルムの辺縁に平行する帯状の接着膜を設けると共に、この接着膜を離型紙により被った構成を採用する。
【考案の効果】
【００１２】
以上のように、この考案のラミネートフィルムによれば、両フィルム間に被ラミネート体を介在したのち、既知のラミネーターを通過させて上記被ラミネート体を封じ込んだ上記裏側フィルムの離型紙（シート）を剥がすことにより接着膜が露出するので、この露出した接着膜によって所要面に貼着することができる。
【００１３】
このため、一々粘着両面テープを寸断し、この寸断粘着両面テープを現場でラミネートフィルムに貼り付ける手間のかかる作業が不要になる効果がある。
【００１４】
また、粘着膜をラミネートフィルムの辺縁に沿って帯状に設けてあるので、大幅なコストの削減になる。
【００１５】
さらに、裏側フィルムの裏面に帯状の接着膜を設けて貼り付けるため、貼り付けが裏側フィルムの一部分になるため、不要にともなう剥がし作業が容易になると共に、出っ張った部分への貼り付けも容易になる。
【考案を実施するための最良の形態】
【００１６】
以下、この考案の実施の形態を添付図面に基づいて説明する。
【００１７】
この考案の実施形態では、図１に示すように、重なり合う透明な合成樹脂製の二枚の方形状フィルム１、２と、この両フィルム１、２の一辺の縁を固着する熱接着（融着）や接着剤などによる固着部３とラミネートフィルムＡを形成する。
【００１８】
上記の方形状フィルム１、２は、図示の縦長な長方形に限定されず、正方形であってもよい。
【００１９】
そして、両フィルム１、２の縦横の寸法は、図２及び図３に示すように両フィルム１、２間に介在する写真、ポスター、ブロマイド、広告紙、ショップの表示紙やその他の印刷物などの被ラミネート体Ｂの縦横の寸法より大きくしてあり、既知のラミネーターに通過させて加熱することにより両フィルム１、２の被ラミネート体Ｂの辺縁から食み出る辺縁の重なり面が加熱により溶着されてラミネートフィルムＡに被ラミネート体Ｂを封じ込む。
【００２０】
また、裏側フィルム２の表面所要位置には、フィルム２の辺縁に沿った離型紙４によって被ってある接着膜５が設けてある。
【００２１】
上記の接着膜５は、図示の場合固着部３側の辺縁に沿って一条設けたが、一条に限定されず複数条並列状に設けることもあり、接着膜５は樹脂系やゴム系の粘着剤を塗布によって設け、接着膜５の表面を離型紙４によって被う以外に、片面に離型紙４を有する両面テープを貼り付けて設けることもでき、又両フィルム１、２は、着色又は無色な例えばポリエステル樹脂からつくられている。
【００２２】
上記のように構成すると、柱や壁面或いは陳列棚などに被ラミネート体Ｂの封じ込みラミネートフィルムＡを取付ける場合、まず離型紙４を剥がして接着膜５を露出させる。
【００２３】
次いで、取付面に露出した接着膜５を押し付けてラミネートフィルムＡを取付ける。
【図面の簡単な説明】
【００２４】
【図１】この考案のラミネートフィルムを示す斜視図
【図２】被ラミネート体を封じ込んだ一部切欠斜視図
【図３】同上の縦断拡大側面図
【符号の説明】
【００２５】
Ａ        ラミネートフィルム
Ｂ        被ラミネート体
１、２    フィルム
３        固着部
４        離型紙
５        接着膜
【図１】
0003118739.tif 000003
【図２】
0003118739.tif 000004
【図３】
0003118739.tif 000005
(57)【要約】      （修正有）【課題】踵を保持して履く踵保持履きと足を滑り込ませて履くサンダル履きとを兼用可能として履くことができる履物を提供する。【解決手段】踵保持部３の取り外しが容易で、しかも踵保持部を甲保持部２に移動して同様の方法で固定が出来るため、踵保持履き、サンダル履きの両用途に速やかに変更することが可能であり、用途に応じた形状に変更できる。また移動可能な踵保持部材と甲保持部材が同一素材、形状、意匠、色彩であるために美観を損ねることもない。【選択図】図１
0003118756.tif 000002
【実用新案登録請求の範囲】
【請求項１】
底部材と、該底部材上にて左右に渡り、足の甲を保持するバンド部材と、前記バンド部材基部に連結される足の踵を保持する部材を備え、該踵保持部材は前記バンド部材基部との連結を解除し、甲保持部材位置へと移動し甲保持部材の一部となることが可能な事を特徴とする履物。
【考案の詳細な説明】
【技術分野】
【０００１】
本考案は履物に関するものであり、特に踵を保持して履く踵保持履きと足を滑り込ませて履くサンダル履きを兼用可能に履くことができる履物に関するものである。
【背景技術】
【０００２】
従来よりこの種の履物は、足が履物より浮いてしまわないように踵上部を包み込むようにバンドを回し、一方を底部材もしくは足の甲を保持するバンド部材基部に固定し、もう一端を底部材もしくは甲保持部材基部に設けたバックルを通して固定する構造となっていた。
【０００３】
【特許文献１】特開平１０−１５１００１号公報
【考案の開示】
【考案が解決しようとする課題】
【０００４】
しかしながら、前述のような履物では履物を履くごとに踵を固定するバンドをバックルで固定しなければならず、近距離の移動時には煩わしいものであった。
【０００５】
この煩わしさを解消するために、踵を固定するバンドが回転し甲部保持部材位置まで移動できる履物も提案されているが、この場合歩行中に回転させたバンドが動くことにより歩行中に不快感を受け、また美観も損ねるという欠点があった。
【０００６】
本考案は、係る従来技術の問題を解決するために成されたものであり、踵を保持して履く踵保持履きと足を滑り込ませて履くサンダル履きとを兼用可能として履くことができる履物を提供する物である。
【課題を解決するための手段】
【０００７】
即ち、本考案の履物は従来であれば踵保持部材であるバンドの一端または両端が固定されていたものを、両端とも固定せず容易に取り外せ、しかも取り外したバンドを甲部保持部材位置に移動して容易に取り付け得ることを特徴としている。
【考案の効果】
【０００８】
本考案によれば、底部材とこの底部材上にて左右に渡り、足の甲を保持するバンド部材と甲部保持部材基部に踵上部をまわり左右それぞれ接続される踵保持部材を備え、この踵保持部材は甲保持部材の左右各々の所定の位置に設けられたバンド挿通部を通して着脱可能な固定バンドで固定されているため踵が保持され、容易に脱げないように履く踵保持履きとして使用することができる。
【０００９】
また、該踵保持部材は着脱可能な固定バンドであるため容易に取り外され、踵部保持部材の位置を移動し、甲保持部材基部に予め設けられていた前述したものとは別のバンド挿通部を通し、同様に固定することによりサンダル履きとして使用できるものである。
【００１０】
この踵保持部材の形状は、甲部保持部材と同様の素材、形状、意匠となっているため甲部保持部材位置へ移動しても何ら違和感はなく美観を損ねる心配もない。
【考案を実施するための最良の形態】
【００１１】
近距離移動時に履きやすいサンダル履きと、足をしっかり固定する踵保持履きを、部材を移動することで美観を損なわずに実現した。
【実施例１】
【００１２】
図１は、本考案の踵保持履きとして使用するときの外観図であり、踵保持部材は踵上部を回り込んで固定する位置にある。
【００１３】
図２は本考案のサンダル履きとして使用する時の外観図であり、踵保持部材は甲部保持部材の位置に移動し固定されている。
【００１４】
着脱の方法については踵保持部材であるバンドとして、着脱可能な性能を有するものを使用しており、甲部保持部材基部に設けたバンド挿通部を通して固定が可能であり、さらにはバンド固定位置を移動することで使用者の足に合わせることが可能であるため、良好なフィット感が得られる位置に固定できる。
【産業上の利用可能性】
【００１５】
踵保持部材の取り付け位置を変えることにより、１足で用途により踵保持履きとサンダル履きの両方に使用することができる。
【図面の簡単な説明】
【００１６】
【図１】踵保持履き時の踵保持部材の位置を示した履物の斜視図である。
【図２】サンダル履き時の踵保持部材の位置を示した履物の斜視図である。
【符号の説明】
【００１７】
１    甲部保持部材
２    甲部保持部基部
３    踵保持部材
４    踵保持履き時に使用するバンド挿通部
５    サンダル履き時に使用するバンド挿通部
【図１】
0003118756.tif 000003
【図２】
0003118756.tif 000004
(57)【要約】【課題】  簡易な構成で密閉容器に収納された米などの食料を簡単な操作で迅速に、かつ完全に調理することができると共に、室内、屋外を問わずあらゆる条件のもとで使用できる簡易調理器を提供する。【解決手段】  下部に燃料を出し入れするための出入口３１を設け、上部に多数の空気流通孔３２を設けた載置台３を構成し、この載置台３の上端に、内部に食料を収納した容器２を配置し、上記固形燃料４で容器２を加熱することによって、容器２内部の食料を調理する簡易調理器。【選択図】図１
0003118752.tif 000002
【実用新案登録請求の範囲】
【請求項１】
下部に燃料を出し入れするための出入口を設け、上部に多数の空気流通孔を設けた載置台を構成し、この載置台の上端に、内部に食料を収納した容器を配置し、上記燃料で容器を加熱することによって、容器内部の食料を調理する簡易調理器。
【請求項２】
上記容器を、内部に米を収納し、かつ上端の開口部をつまみを備えたアルミニウムの薄板からなる蓋で密閉したことを特徴とする請求項１記載の簡易調理器。
【考案の詳細な説明】
【技術分野】
【０００１】
本考案は、簡易調理器に関するものであり、特に密閉容器に収納された米などの非常食を調理するのに適した簡易調理器である。
【背景技術】
【０００２】
特許文献１に提案された従来の簡易型の炊飯器は、精米缶詰とこれを取り扱う二連式自動炊飯器である。この発明は、精米を自動販売機で取扱い可能な缶に収納して成る精米缶詰を用いる。また、上記精米缶詰をそれぞれ収容し得る２個の釜と、それらの釜のそれぞれに設けられ、釜内に収容した精米缶詰中の精米を炊飯、保温する加熱手段と、当該加熱手段の作動を制御する制御回路とを備えたことを特徴とするものである。
そしてこの発明の効果は、炊飯作業が容易で一人暮らしの老人や若者が手軽かつ安全に利用できる精米缶詰と、これを用いて炊飯及び保温を行ない得る二連式自動炊飯器を提供するものである。
【特許文献１】特開平１０−１１３１３５
【０００３】
しかし、上記発明に用いる二連式自動炊飯器は電力によって炊飯を行なうものであり、その制御機構も備えているため構造が複雑であると共に、電力を得られない屋外等では使用することができないという問題があった。
【考案の開示】
【考案が解決しようとする課題】
【０００４】
本考案は上記のような従来例の問題点を除去するためになされたもので、簡易な構成で密閉容器に収納された米などの食料を簡単な操作で迅速に、かつ完全に調理することができると共に、室内、屋外を問わずあらゆる条件のもとで使用できる簡易調理器を提供することを目的とする。
【課題を解決するための手段】
【０００５】
本考案の要旨とするところは、下部に燃料を出し入れするための出入口を設け、上部に多数の空気流通孔を設けた載置台を構成し、この載置台の上端に、内部に食料を収納した容器を配置し、上記燃料で容器を加熱することによって、容器内部の食料を調理する簡易調理器である。
【０００６】
また、本考案の要旨とするところは、上記容器を、内部に米を収納し、かつ上端の開口部をつまみを備えたアルミニウムの薄板からなる蓋で密閉した簡易調理器である。 
【考案の効果】
【０００７】
本考案は上記の構成であるため簡易な構成で密閉容器に収納された米などの食料を簡単な操作で迅速に、かつ完全に調理することができると共に、室内、屋外を問わずあらゆる条件のもとで調理ができるのである。
【考案を実施するための最良の形態】
【０００８】
本考案を実施するための最良の形態は、下部に固形燃料等の燃料を出し入れするための出入口を設け、上部に多数の空気流通孔を設けた載置台を構成し、この載置台の上端に、内部に米を収納し、かつ開口部をつまみを備えたアルミニウムの薄板からなる蓋で密閉した容器を配置し、この容器を上記燃料で加熱することによって、容器内部の米を調理する簡易調理器である。
【０００９】
本考案の一実施形態を図面に基づいて説明する。
図１は簡易調理器の全体構成の斜視図、図２は使用状態の説明図及び図３は調理状態の斜視図である。
【００１０】
本実施形態は載置台３と、この載置台３の上に載置する容器２からなる。
載置台３は底部を有する円筒形で上端は開口していて、載置台の上部には全周に亘って多数の空気流通孔３２，３２・・を穿設してなる。これらの空気流通孔３２，３２・・は、固形燃料４の燃焼時に載置台３内の空気の循環を図り燃焼効率を良くするために設けられている。
載置台３の一側面下部には、固形燃料４の出し入れのための出入口３１を形成する。
【００１１】
上記載置台３の上端の開口部分に容器２を載置する。この容器２は、円筒形の容器であり、上端開口部２５をアルミニウムの薄板からなる蓋２１で密閉してある。また、内部には約１１０ｇの米が収納されている。２２は蓋２１のつまみである。
【００１２】
上記のように構成した簡易調理器１の作用について説明する。
まず、図２に示すように容器２の蓋２１を開口部２５の途中まで剥がしていく。このときアルミニウムの蓋２１は、開口部２５の周縁２３に圧着しているため剥がしたときにバリがでないうえに、つまみ２２を持ち上げて任意の箇所まで容易に剥がすことができる。このとき、いわゆるプルトップ形式の蓋と異なりバリがでない上に、蓋２１が軟質材のため手指を傷つけることがなく安全である。
【００１３】
次にコップ５０によって容器２内に約１８０ｃｃの水５１を入れてから、蓋２１を容器２の上端の周縁２３に密着させながら被せていき、最後につまみ２２を周縁２３から直角に折って周面に沿って密着して固定する。このように軟質の薄板からなるアルミニウムの蓋２１は周縁２３に密着すると共に、つまみ２２の作用により蓋２１は容器２の開口部２５を密閉状態で覆うのである。
【００１４】
その後、図３に示すように容器２を載置台３の上に載置し、載置台３の出入口３１より固形燃料４を入れて着火すればよい。これによって固形燃料４の熱で容器２内部の米が調理される。
【００１５】
このとき、容器２の開口部２５は軟質材であるアルミニウムの蓋２１とつまみ２２によって閉塞され容器２内部は密閉状態を保っているから、少ない時間で効率よく調理されるのである。
この調理の例を示すと、約１５ｇの通常の固形燃料を用いて米１１０ｇを調理した場合、約１６分で炊きあがり、固形燃料も燃え尽きるのである。
【００１６】
調理が終わったら、蓋２１を全部剥がして炊き上がったご飯を食べる。また、米を炊くときは蒸らす必要があるが、上記蓋２１は開口部２５の周縁２３との密着状態を保てるから効率よく蒸らすことができ、米が美味に炊けるのである。
【００１７】
上記米に代えて味噌汁、炊き込み御飯など各種の食料を調理することができる。また、食料を温めるだけに用いることもできる。
【図面の簡単な説明】
【００１８】
【図１】簡易調理器の全体構成の斜視図
【図２】簡易調理器の使用状態の説明図
【図３】簡易調理器の調理状態の斜視図
【符号の説明】
【００１９】
２  容器
３  載置台
４  固形燃料
２１  蓋
２２  つまみ
２３  周縁
２５  開口部
２９  米
３１  出入口
３２  空気流通孔
【図１】
0003118752.tif 000003
【図２】
0003118752.tif 000004
【図３】
0003118752.tif 000005
(57)【要約】【課題】  従来、靴の中敷やサンダルの表面に設けられている凹凸型の足つぼ刺激器は、製造の段階で固定されているために、使用の際に、同じ所を同じ強さで常に刺激することになり、新鮮味を失ってしまう。刺激に、不規則で、意外な感じを与えることは出来ない。【解決手段】  図１のように、糸または鎖で靴の中敷と連結された可動性の刺激パッドを設けることで、使用の際に、パッドが靴の外へ放出されることもなく、足の動きと共に、靴の中で不規則に位置を変えるので、足つぼの刺激に意外性が生じ、従来型のマンネリ刺激の不都合を解決する。【選択図】図１
0003118796.tif 000002
【実用新案登録請求の範囲】
靴の中敷の表側に、意外性をもたらす可動性のつぼ刺激パッドを簡便に実現するためのパッドと糸とを組み合わせた考案
【考案の詳細な説明】
【考案の詳細な説明】
従来の足のつぼ刺激に作成される製品は、常に同じ位置を刺激する固定型の物で、不規則な意外性のあるつぼ刺激を求めることはできない。
本考案は、歩行時、足を上げたときにつぼ刺激パッドが、土踏まずの空間で、自然に不規則に前後左右に動くように考案されているために、足を踏んだときの刺激パッドの位置が、不規則に予想外のところに現れ、つぼの刺激に意外性をもたらすことができるようにしたものである。
第２図の▲１▼は、靴の中敷である。▲２▼は、▲３▼のパッドと中敷とを連結する糸である。この糸を、細い鎖に変えることも可能である。▲３▼のパッドは、概して、５００円硬貨の大きさで、表面には小さな凹凸が施されているが、このパッドの形状と大きさは、つぼ刺激に効果を出すためにさまざまな工夫がなされ、▲２▼の糸からはずすことで利用者の望みのパッドに変えられる。
パッドの形状であるが、四角や三角な形状にしたり、また、表面に大小の山形な突起を並べたり、球状の大小の玉を連結したものにすることで、意外性を拡大することができる。
▲４▼は、▲２▼の糸を中敷の裏表に通すために中敷▲１▼にあけられた穴である。
第３図は、第２図のＡ−Ｂラインの断面図である。▲２▼の他端につけられた▲５▼は、中敷の裏面に引っ掛けるフックである。意外性のつぼ刺激を広範囲に望むときは、このフックの位置を▲４▼の近くに変えることで、▲２▼の糸を中敷の表に長く出るように調節できる。
【図面の簡単な説明】
【図１】は、この考案による製品を組み込んだ靴中敷を装着した靴を履いている断面図。
【図２】は、この考案による製品を組み込んだ靴中敷の平面図。
【図３】は、この考案による製品を組み込んだ靴中敷の断面図。
【図４】は、この考案による足つぼパッドの平面図と断面図の例。
【図１】
0003118796.tif 000003
【図２】
0003118796.tif 000004
【図３】
0003118796.tif 000005
【図４】
0003118796.tif 000006
【手続補正書】
【提出日】平成17年10月26日(2005.10.26)
【手続補正１】
【補正対象書類名】実用新案登録請求の範囲
【補正対象項目名】全文
【補正方法】変更
【補正の内容】
【実用新案登録請求の範囲】
【請求項１】
固定された位置で刺激することから生じるマンネリ性を解決するために、不規則に可動するように靴の中敷と糸または鎖で連結させた足つぼ刺激パッド。
(57)【要約】      （修正有）【課題】衝撃を受けることによって発光する発光ゴルフボールを提供する。【解決手段】光透過性を有する球状の本体１０を有し、該本体は半円形の上殻１１と下殻１２からなり、本体の外側に光透過性の樹脂素材が設けられると共に、内部に発光機構２０が設けられることを特徴とする。【選択図】図２
0003118800.tif 000002
【実用新案登録請求の範囲】
【請求項１】
光透過性を有する球状の本体を有し、該本体は半円形の上殻と下殻からなり、本体の外側に光透過性の樹脂素材が設けられると共に、内部に発光機構が設けられることを特徴とする発光ゴルフボール。
【請求項２】
前記発光機構は、回路板と、該回路板の一側に設けられる衝撃感知部材と、該衝撃感知部材との同側に設けられる発光部材と、該回路板の他側に設けられる電池部材と、を備え、該回路板に衝撃感知部材の輸出信号によって所定の時間に発光部材を発光させる制御回路が設けられることを特徴とする請求項１に記載の発光ゴルフボール。
【請求項３】
前記発光部材は二個の発光ダイオードであることを特徴とする請求項２に記載の発光ゴルフボール。
【考案の詳細な説明】
【技術分野】
【０００１】
本考案は、特に衝撃を受けることによって発光する発光ゴルフボールに関するものである。
【背景技術】
【０００２】
従来のゴルフボールは、外側に空気抵抗を少なくするための複数のディンプルが形成される球体である。
【考案の開示】
【考案が解決しようとする課題】
【０００３】
しかしながら、前記従来のゴルフボールは発光機能を有しないので、以下に示すような欠点を有する。
【０００４】
夜間にゴルフをする際は、照明があっても、該ゴルフボールの飛行方向や距離を判断することが難しい。
【０００５】
夜間にゴルフをする際、該ゴルフボールが暗所に落ちると、簡単に該ゴルフボールを見つけることができない。
【０００６】
ゴルフボールが池、ラフ又はバンカーに落ちると、簡単に該ゴルフボールを見つけることができない。
【０００７】
そこで、案出されたのが本考案であって、衝撃を受けることによって発光する発光ゴルフボールを提供することを目的としている。
【課題を解決するための手段】
【０００８】
本願の請求項１の考案は、光透過性を有する球状の本体を有し、該本体は半円形の上殻と下殻からなり、本体の外側に光透過性の樹脂素材が設けられると共に、内部に発光機構が設けられることを特徴とする発光ゴルフボール、を提供する。
【０００９】
本願の請求項２の考案は、前記発光機構は、回路板と、該回路板の一側に設けられる衝撃感知部材と、該衝撃感知部材との同側に設けられる発光部材と、該回路板の他側に設けられる電池部材と、を備え、該回路板に衝撃感知部材の輸出信号によって所定の時間に発光部材を発光させる制御回路が設けられることを特徴とする請求項１に記載の発光ゴルフボール、を提供する。
【００１０】
本願の請求項３の考案は、前記発光部材は二個の発光ダイオードであることを特徴とする請求項２に記載の発光ゴルフボール、を提供する。
【考案の効果】
【００１１】
本考案は上記の課題を解決するものであり、光透過性を有する本体を有し、該本体の内部に発光機構が設けられ、該発光機構から発生した光が本体を透過することにより、暗所でもゴルフボールを簡単に探し出すことができる。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係る発光ゴルフボールの半製品の斜視図であり、図２は本考案に係る発光ゴルフボールの半製品の分解斜視図であり、図３は本考案に係る発光ゴルフボールの半製品の下部を示す斜視図であり、図４は本考案に係る発光ゴルフボールの半製品の下部を示す平面図であり、図５は本考案に係る発光ゴルフボールの半製品の上部を示す斜視図である。
【００１４】
図１及び図２に示すように、本考案に係る発光ゴルフボールの半製品は、光透過性を有する球状の本体（１０）を有し、該本体（１０）は半円形の上殻（１１）と下殻（１２）からなり、本体（１０）の外側に複数の位置決めブロック（１３）が設けられると共に、内部に発光機構（２０）が設けられる。
【００１５】
図３乃至図５に示すように、前記発光機構（２０）は、回路板（２１）と、該回路板（２１）の一側に設けられる衝撃感知部材（２２）と、該衝撃感知部材（２２）との同側に設けられる発光部材（２３）と、該回路板（２１）の他側に設けられる電池部材（２４）と、を備え、該回路板（２１）に衝撃感知部材（２２）の輸出信号によって所定の時間に発光部材（２３）を発光させる制御回路が設けられ、又、該発光部材（２３）は、小型ランプ又は発光ダイオードであり、本実施例において、該発光部材（２３）は二個の発光ダイオードである。
【００１６】
本考案に係る発光ゴルフボールの半製品を組合わせる際、先ず衝撃感知部材（２２）、発光部材（２３）及び電池部材（２４）が回路板（２１）に設けられることにより、発光機構（２０）を組立て、組立てた発光機構（２０）を本体（１０）の下殻（１２）に位置決めさせ、上殻（１１）と下殻（１２）を組合せることにより、本体（１０）を完成する。
【００１７】
組合わせた発光ゴルフボールの半製品を本体（１０）の外側における位置決めブロック（１３）によってモールド（符号なし）に位置決めさせ、該本体（１０）の外側に光透過性の樹脂素材が設けられたのち、突出部分の位置決めブロック（１３）を削除することにより、発光ゴルフボールを完成する。
【産業上の利用可能性】
【００１８】
本考案は上記の構成を有するので、光透過性を有する本体を有し、該本体の内部に発光機構が設けられ、該発光機構から発生した光が本体を透過することにより、暗所でもゴルフボールを簡単に探し出すことができる。
【図面の簡単な説明】
【００１９】
【図１】本考案に係る発光ゴルフボールの半製品の斜視図である。
【図２】本考案に係る発光ゴルフボールの半製品の分解斜視図である。
【図３】本考案に係る発光ゴルフボールの半製品の下部を示す斜視図である。
【図４】本考案に係る発光ゴルフボールの半製品の下部を示す平面図である。
【図５】本考案に係る発光ゴルフボールの半製品の上部を示す斜視図である。
【符号の説明】
【００２０】
１０        本体
１１        上殻
１２        下殻
１３        位置決めブロック
２０        発光機構
２１        回路板
２２        衝撃感知部材
２３        発光部材
２４        電池部材
【図１】
0003118800.tif 000003
【図２】
0003118800.tif 000004
【図３】
0003118800.tif 000005
【図４】
0003118800.tif 000006
【図５】
0003118800.tif 000007
(57)【要約】      （修正有）【課題】石鹸を置いておいても石鹸が溶けだしたりぬめりが発生しにくい石鹸容器を提供する。【解決手段】プラスチック製の枠体にフッ素樹脂や酢酸ブチルを高圧ガスでスプレ−して防水加工したプラスチック製の網を接着し、家庭にある石鹸容器又は食器やワイングラス等の各種容器に載せて簡易な石鹸容器を得る。【選択図】図１
0003118793.tif 000002
【実用新案登録請求の範囲】
【請求項１】
プラスチック製の枠体にプラスチック製の網を接着した石鹸置台。
【請求項２】
プラスチック製の網は、フッ素樹脂や酢酸ブチルを高圧ガスを使いスプレーして防水加工した請求項１記載の石鹸置台。
【考案の詳細な説明】
【技術分野】
【０００１】  本考案は、固形石鹸を置いて保持する為の置台に関するものである。
［背景技術］【０００２】  従来の石鹸容器においては、固形石鹸を使用中に発生する石鹸の溶けだし、石鹸容器と石鹸の接触面に発生するぬめりを軽減する為に、石鹸容器の底面に半球状の突起を並べたものがある。（例えば意匠登録第３７５７２７）
又は底面の一部を半円柱状に盛りあげたものを底に数本並べたものがある。（例えば意匠登録第８４７３４７）
又は底面に溝を作る（例えば意匠登録第９２４７８６）又は底面を網状にする（例えば意匠登録第６７１２１１）等がある。
又は底面に網を張る（例えば公開実用新案公報平２−２２１９０）又は上面にネットを張る（例えば公開実用新案公報昭５９−８３４９２、意匠登録第５０８７１７３）
又は上面にビニール糸製網を吊している（例えば実開昭４７−１６７５２）等がある。
［特許文献１］  意匠登録第３７５７２７号公報
［特許文献２］  意匠登録第８４７３４７号公報
［特許文献３］  意匠登録第９２４７８６号公報
［特許文献４］  意匠登録第６７１２１１号公報
［特許文献５］  実開平２−２２１９０号公報
［特許文献６］  実開昭５９−８３４９２号公報
［特許文献７］  意匠登録第５０８７１７３号公報
［特許文献８］  実開昭４７−１６７５２号公報
［考案の開示］
［考案が解決しようとする課題］【０００３】  以上に述べた従来の石鹸容器では、容器底面の突起と石鹸の接触面が大きいので石鹸に付いた水切れが悪く、石鹸の溶けだし、ぬめりの発生を軽減できない。【０００４】  又石鹸容器の底面や上面等に、網を張り石鹸を置く方法は水切れが良くなり、石鹸の溶けだし、ぬめりを軽減する効果はあるが、突起で防止する方法に比べて構造複雑になりコストが高くなるので、実用化されていない。【０００５】  網の上に石鹸を置く方法は、長年使うと溶けた石鹸が網に付きだし、ぬめり防止効果が弱まる。
［課題を解決するための手段］【０００６】  安い石鹸置台を作る為に、プラスチックの成形型により円形、楕円形または長方形等の枠状に形成した枠体にプラスチック製の網を接着する。【０００７】  又、第２の解決手段は、プラスチック製の網をフッ素や酢酸ブチルを高圧ガスを使いスプレーし防水加工して、網に置いた石鹸の水切れを良くして石鹸の溶けだしぬめりを軽減することである。
［考案の効果］【０００８】  上述したように本考案の、プラスチックの成形型により枠状に成形した枠体にプラスチック製の網を接着して石鹸置台とする簡単な構造なので安い石鹸置台を提供できる。【０００９】  又プラスチック製の網に、フッ素や酢酸ブチルを高圧ガスを使いスプレーして防水加工するため、さらに石鹸の溶けだし、ぬめりの防止効果を発揮するものである。【００１０】  又家庭にある石鹸容器や食器又はワイングラス等の各種容器の上に載せて洗面台等で使用する簡易な石鹸容器を得る事ができる。【００１１】  又安価にできるので、女性誌の付録や高級洗顔石鹸の販促物等として普及が可能である。
［考案を実施するための最良の形態］【００１２】  図１に示すように、プラスチックの成形型により円形、楕円形または長方形等の枠状に成形した枠体１に、高圧ガスを使いフッ素樹脂や酢酸ブチルをスプレーして防水加工したプラスチック製の網２を接着して石鹸置台を形成する。【００１３】  又家庭にある石鹸容器や食器又はワイングラス等の各種容器３の上に載せて、この網２の上に固形石鹸４を載せて石鹸容器として使用する。
［実施例１］【００１４】  プラスチックを成形型により楕円形等の枠状に成形した枠体１に、防水加工したプラスチック製の網２を接着した石鹸置台を、容器３に載せた。
［産業上の利用可能性］【００１５】  安く製造できるので、女性誌の付録や高級洗顔石鹸の販促物として配付し、家庭にある石鹸容器や食器又はワイングラス等に載せて使うことができるので、広く一般に普及させることが可能となる。
【図面の簡単な説明】
【００１６】［図１］  本考案の使用態様示す斜視図である。
［図２］  本考案の実施例を示す斜視図である。
【符号の説明】
【００１７】  １  枠体
２  プラスチック製の網
３  容器
４  石鹸
【図１】
0003118793.tif 000003
【図２】
0003118793.tif 000004
(57)【要約】【課題】本考案は、洗濯機の洗濯槽内に投入し洗濯物と一緒に攪拌させることで、抗菌及び残留塩素を除去すると伴に、洗濯水の水分子クラスターを細分化することにより洗濯物の繊維中に洗濯水を浸透しやすくさせ洗濯効率を上げることである。【解決手段】抗菌及び残留塩素除去効果と伴に、洗濯水の水分子クラスターを細分化する効果のある超極細銅繊維入り撚糸で編まれたシート状の布あるいはメッシュ状超極細銅繊維マット入り布袋を洗濯機槽内に投入し洗濯物と一体化して攪拌させることである。【選択図】図２
0003118791.tif 000002
【実用新案登録請求の範囲】
【請求項１】
洗濯槽に洗濯物と一緒に投入することにより、洗濯水から残留塩素を除去し、また洗濯水の水分子クラスターを細分化することで洗濯物の繊維中に洗濯水を浸透しやすくさせ、さらに銅繊維の持つ微量作用で抗菌作用を持つことを特徴とする超極細銅繊維入り撚糸を使用して編まれたシート状の布。
【請求項２】
洗濯槽に洗濯物と一緒に投入することにより、洗濯水から残留塩素を除去し、また洗濯水の水分子クラスターを細分化することで洗濯物の繊維中に洗濯水を浸透しやすくさせ、さらに銅繊維の持つ微量作用で抗菌作用を持つことを特徴とするメッシュ状（クロスラップウェッブ）の超極細銅繊維マットを入れた布袋。
【考案の詳細な説明】
【技術分野】
【０００１】本考案は、銅繊維の持つ抗菌、残留塩素除去効果により洗濯水を活性化させ、洗濯水及洗剤使用量を軽減し洗濯効率を向上させるシート状布に関する。
【背景技術】
【０００２】従来洗濯水を活性化させるものとして、電気石、遠赤外線放射セラミックス粒子石、圧電セラミックス粒子石を充填した容器を洗濯水内に投入するものが知られている。さらに、この容器にフロートリングを設けたものも知られている。
【考案の開示】
【考案が解決しようとする課題】
【０００３】従来の補助具に充填される水活性作用物質である電気石、遠赤外線放射セラミックス粒子石、圧電セラミックス粒子石は洗濯水を活性化させるための作用が不十分であるという問題点があった。さらに水活性作用素材を収納する容器は、洗濯槽内で底部に沈んでしまっては洗濯槽内の洗濯水全体に活性化作用を発揮することができなくなるので、この容器を水面付近に浮かばせるためにフロートリングを設けたのであるが、フロートリングの浮力が十分ではなく、容器全体を浮かばせることが困難であるという問題点もあった。
また、水活性作用物質の一つとして銅繊維を充填し、浮力も改良された補助具もあるが、洗濯槽内で浮遊し洗濯物と一体化して攪拌されるものではないので、その効果は十分ではない。
【課題を解決するための手段】
【０００４】本考案は、上記課題を解決するために、洗濯水から塩素を除去し、洗濯水の水分子クラスターを細分化することで洗濯物の繊維中に洗濯水を浸透しやすくさせ、さらに銅繊維の持つ微量作用で抗菌効果を持つことを特徴とする超極細銅繊維入り撚糸を使用して編まれたシート状布、メッシュ状の超極細銅繊維マットを入れた布袋を洗濯槽に洗濯物と一緒に投入することである。
【考案の効果】
【０００５】銅の持つ微量作用による抗菌効果、残留塩素除去効果は広く知られている事実であるが、銅を超極細繊維化しその表面積を増大させることでより効果的となる。本考案で使用する超極細銅繊維は熱を加えることなく引き伸ばすという特殊な技術によって製造されたものである。通常の銅線や銅繊維は熱を加えることによって引き伸ばされるため、その分子構造が変化し、抗菌及び残留塩素除去効果は大幅に減少する。しかしながら熱を加えることなく引き伸ばすという特殊な技術によって製造された本考案で使用する超極細銅繊維は、銅本来のもつ残留塩素除去効果、あるいはその微量作用による抗菌効果が最大限に発揮される。また、水は通常、単独の分子で存在するのではなく、いくつかの分子がまとまって形成されている。その分子集団のことをクラスターというが、活性化された水は６〜８ケの分子で形成されており、分子活動も活発に行われる。ところが水に塩素や不純物が含まれるとこれらが水のクラスターに入り込み、幾つかの分子と結合してクラスターが大きくなり水分子の活動が抑制され、結果的に水の活性化を妨げることになる。しかしながら、銅繊維の持つ残留塩素除去効果によりクラスターを細分化し洗濯水の活性化を図ることができ、洗濯に用いる洗剤や水の使用量を軽減させ、洗剤を使用しない洗濯においても汚れの落ち方が良くなり、洗濯の効率が向上する効果がある。
さらに当該シートを洗濯物と一体化して攪拌させることにより、銅繊維の持つ抗菌、残留塩素除去効果及びクラスター細分化を最大限に引き出す効果がある。
【考案を実施するための最良の形態】
【０００６】本考案を実施するために、３０ミクロンの超極細銅繊維入り撚糸を使用して編まれたガーゼ地をシート形態にしたもの、あるいは３０ミクロンのメッシュ状超極細銅繊維マットを織布あるいは不織布の袋に入れた形態がある。
【図面の簡単な説明】
【０００７】
【図１】３０ミクロンの超極細銅繊維入り撚糸で編まれたガーゼ地の拡大図である。
【図２】３０ミクロンの超極細銅繊維入り撚糸を使用して編まれたガーゼ地を複数枚重ね、四辺の縁をかがり縫いしたシートを示す平面図である。撚糸の一部となった超極細銅繊維は目視できないので、外見は通常のガーゼ地ハンカチと変わるところはない。
【図３】四辺の縁がかがり縫いされた３０ミクロンのメッシュ状超極細銅繊維マット入り布袋示す平面図である。
【図４】四辺の縁がかがり縫いされた３０ミクロンのメッシュ状超極細銅繊維マット入り布袋示す断面図である。
【図１】
0003118791.tif 000003
【図２】
0003118791.tif 000004
【図３】
0003118791.tif 000005
【図４】
0003118791.tif 000006
【手続補正書】
【提出日】平成17年7月28日(2005.7.28)
【手続補正１】
【補正対象書類名】実用新案登録請求の範囲
【補正対象項目名】請求項２
【補正方法】変更
【補正の内容】
【請求項２】
洗濯槽に洗濯物と一緒に投入することにより、洗濯水から残留塩素を除去し、また洗濯水の水分子クラスターを細分化することで洗濯物の繊維中に洗濯水を浸透しやすくさせ、さらに銅繊維の持つ微量作用で抗菌作用を持つことを特徴とするメッシュ状の超極細銅繊維マットを入れた布袋。
(57)【要約】【課題】寿司や弁当を簡単に水平になる様におさめて、中の容器がもれ出たりおかずが横になって了うのを回避する。【解決手段】現今おこなわれている単純なビニール袋に変えて、正（長）方形又は楕円形、多角形、変形をした底面を持つビニール袋が必要かつ十分である。  図１の袋にいれてはわずかな変動でも横転して了うような有様の弁当を、常に水平を守るような新企軸のビニール袋を用いて長年の弊害だった寿司弁当等の容器からの汁のもれ、おかず類の偏在を守ることが本発案の利点であり、また、どこの弁当屋を当っても平たい袋しか取扱っていない現状を打破する絶好のチャンスである。【選択図】図２
0003118798.tif 000002
【実用新案登録請求の範囲】
【請求項１】
寿司やホカホカ弁当等が帰宅途中に汁もれをおこしたり、横倒しにならないようにビニール袋の底面を正（長）方形、楕円形、多角形、変形にして、おかずの変在を防ぐ画期的「コロンブスの卵的」新案である。
その名称「角円袋」の如くに寿司、弁当類の形状をそのまま底面に置き周囲は普通のビニール袋なのだがこれ迄この種の考案は今だかつて全く見られなかった。角円袋は包装業界に革命を起こしたといって過言ではない。
【考案の詳細な説明】
【技術分野】
【０００１】    本考案は、コンビニエンスストアー、寿司屋、ホカホカ弁当屋等で買物をした時、不快な思いをしないでそれらを持ち運ぶことが出来るようになった考案である。
【従来技術】
【０００２】  従来は固定することを考えず単なる袋に寿司や弁当類を入れて顧客の迷惑を全く配慮することがなかった。
【考案の開示】
【考案が解決しようとする課題】
【０００３】  従来の袋では寿司、弁当等に汁物等が有る場合など少しの振動でも弁当等が移動する為に弁当等の容器内の仕切りを越えて混在してしまうことが多かった。
本案はこれらの欠点を解消する為のものである。
【課題を解決するための手段】
【０００４】  袋の底面を正（長）方形、（楕）円形、多角形、変形にして寿司や弁当等を水平に保ち容器からのもれやかたよりを防ぐ。
【考案を実施するための最良の形態】
【０００５】  寿司や弁当を本容器の中に水平に入れ普通の状態で持ち歩くことが出来る。
【考案の効果】
【０００６】  角円袋の出現により今迄の寿司や弁当等の需要は更に高まり売る側も買う側も安心して弁当を持ち歩くことが出来る。
【図面の簡単な説明】
【０００７】
【図１】従来の平べったい袋の斜視図である。
【図２】本考案の代表的な角丸袋の斜視図である。
【図３】三角錐の角円弁当入れの斜視図である。
【図４】長方形の角円弁当入れの斜視図である。
【図１】
0003118798.tif 000003
【図２】
0003118798.tif 000004
【図３】
0003118798.tif 000005
【図４】
0003118798.tif 000006
【手続補正書】
【提出日】平成17年10月30日(2005.10.30)
【手続補正１】
【補正対象書類名】実用新案登録請求の範囲
【補正対象項目名】全文
【補正方法】変更
【補正の内容】
【実用新案登録請求の範囲】
【請求項１】
底面を正方形、三角形等の多角形又は丸形等にしたことを特徴とする袋。
【手続補正２】
【補正対象書類名】明細書
【補正対象項目名】全文
【補正方法】変更
【補正の内容】
【考案の詳細な説明】
【技術分野】
【０００１】  本考案は、コンビニエンスストアー、寿司屋、ホカホカ弁当屋等で買物をした時、不快な思いをしないで、それらを持ち運ぶことが出来るようになった袋に関するものである。
【従来技術】
【０００２】  従来は固定することを考えず単なる袋に寿司や弁当類を入れて顧客の迷惑を全く配慮することがなかった。
【考案の開示】
【考案が解決しようとする課題】
【０００３】  従来の袋では寿司、弁当等に汁物等が有る場合など少しの振動でも弁当等が移動する為に弁当等の容器内の仕切りを越えて混在してしまうことが多かった。
本案はこれらの欠点を解消する為のものである。
【課題を解決するための手段】
【０００４】  本考案の袋は、底面を正方形、三角形又は丸形等の多角形等にしたものである。
【考案を実施するための最良の形態】
【０００５】  寿司や弁当を本袋の中に水平に入れ普通の状態で持ち歩くことが出来るように、底面を、図面に示すように、四角形や三角形又は丸形等にした。
【考案の効果】
【０００６】  角円袋の出現により今迄の寿司や弁当等の需要は更に高まり売る側も買う側も安心して弁当を持ち歩くことが出来る。
【図面の簡単な説明】
【０００７】
【図１】従来の平べったい袋の斜視図である。
【図２】本考案の代表的な袋の斜視図である。
【図３】三角錐の三角弁当入れの斜視図である。
【図４】長方形の角円弁当入れの斜視図である。